(57)【要約】      （修正有）【課題】携帯電話機やスマートフォン等の携帯情報端末機に装飾部材を貼付しない、装飾性の高く、表示画面を保護する携帯情報端末機のカバーを提供する。【解決手段】携帯情報端末機の四隅に係止する４本のアーム（３、４、５、６）を有するジョイント部２と、このジョイント部２にぬいぐるみ７を装着した。また、４本のアームの先端部の長さを携帯情報端末機の厚みよりも長くしたので携帯情報巻末機の表示画面を傷つけたりするおそれがない。【選択図】図１
0003173667.tif 000002
【実用新案登録請求の範囲】
【請求項１】
携帯情報端末機の四隅に係止する少なくとも４本のアームを有するジョイント本体と、このジョイント本体に着せたぬいぐるみ又はこのジョイント本体と一体成型した装飾体とからなることを特徴とする携帯情報端末機のカバー。
【請求項２】
上記４本のアームの先端部は携帯情報端末機に装着したときに当該携帯情報端末機の厚みよりも長いことを特徴とする請求項１記載の携帯情報端末機のカバー。
【考案の詳細な説明】
【技術分野】
【０００１】  本考案は、携帯電話機やスマートフォンに代表される携帯情報端末機のカバーに関する。
【背景技術】
【０００２】  従来の携帯情報端末のケースは、特許文献１に示すようにスマートフォン等の携帯情報端末機の背面と両側面を覆うカバーが知られている。このカバーの一部にはストラップを通す穴を設けるとともに、このカバーの背面は接着剤によって装飾部材を貼付可能にしている。
【先行技術文献】
【特許文献】
【０００３】
【特許文献１】  実用新案登録第３１６８０９０
【考案の概要】
【考案が解決しようとする課題】
【０００４】    しかしながら、接着剤で装飾部材を接着したり剥がしたりすると接着剤がこびり付き携帯情報端末機が汚れてしまうという問題点を有する。【０００５】    本考案は、上記従来の問題点に着目してなされたものであり、携帯電話機やスマートフォン等の携帯情報端末機に装飾部材を貼付しない、装飾性の高い携帯情報端末機のカバーを提供することを目的とする。
【課題を解決するための手段】
【０００６】    本考案は上記課題を解決するために解決するものであり、立体的な装飾性を有するとともに使用者の嗜好性を満足させることができる、携帯情報端末機の少なくても四隅に着脱可能な係止部を有するジョイント部を有する携帯情報端末機のカバーである。
【考案の効果】
【０００７】  本考案による携帯情報端末機のカバーによれば、携帯情報端末機の表示面を保護するとともに装飾性の高いカバーを得ることができる。
【図面の簡単な説明】
【０００８】
【図１】本考案の実施の形態に係るよる携帯端末装置のカバーを正面からみた斜視図である。
【図２】本考案の実施の形態に係るよる携帯端末装置のカバーとスマートフォンを背面からみた斜視図である。
【図３】図２の携帯端末装置のカバーを装着したスマートフォンを背面からみた斜視図である。
【図４】携帯端末装置のカバーを装着したスマートフォンと右上アーム部を上からみた拡大図である。
【図５】携帯端末装置のカバーを装着したスマートフォンを右側面からみた図である。
【図６】携帯端末装置のカバーを装着したスマートフォンと右上アーム部を右側面からみた断面図である。
【考案を実施するための形態】
【０００９】  本考案の実施の形態に係る携帯端末装置のカバー１を図面にしたがって説明する。
携帯端末装置のカバー１はポリカーボネイト等のプラスチックによって形成されたジョイント本体２と縫製によって形成されたぬいぐるみ７によって構成され、ジョイント本体２とぬいぐるみ７は例えば羊を型取られており、高い装飾性を有している。
またジョイント本体２はプラスチックで形成することにより多少の弾性変形が可能である。
符号２はジョイント本体を示し、このジョイント本体２は、本体から対角線上に伸びる左上アーム部３、右上アーム部４、右下アーム部５、左下アーム部６といった手足のような形状から構成されている。
【００１０】  左上アーム部３、右上アーム部４、右下アーム部５、左下アーム部６は図６が示すようにフック状の凹みを為している。カバー１はスマートフォン背面９を覆うように装着し、左上アーム部３、右上アーム部４、右下アーム部５、左下アーム部６のフック状の凹み４箇所によってスマートフォン８と係合される。
また、カバー１をスマートフォン８に装着した際、左上アーム部３、右上アーム部４、右下アーム部５、左下アーム部６がスマートフォン８の側面及び上面より突出することにより、スマートフォン８の角への衝撃を和らげる機能を有する。図４は右上角を覆う状態を示した拡大図である。
【００１１】  カバー１を装着しスマートフォン８を例えば机やテーブルといった平らな面に置いた場合、左上アーム部３、右上アーム部４、右下アーム部５、左下アーム部６がスマートフォン側面１０よりも前面側に突出することにより、接地面から隙間を確保し前面操作画面を汚れや衝撃から保護する機能を有する。図５はスマートフォン８とテーブルの間に置いた状態を示した図である。
【００１２】  次に、携帯端末装置のカバー１を、携帯端末装置としてのスマートフォン８に装着して使用する方法について説明する。
ジョイント本体２をスマートフォン８の背面９から被せるようにして装着する。この際、左上アーム部３、右上アーム部４、右下アーム部５、左下アーム部６は弾性変形して左右上下方向へ開く。そして左上アーム部３、右上アーム部４、右下アーム部５、左下アーム部６にあるフック状の凹みがスマートフォン８の前面を越えると元の位置に戻り、左上アーム部３、右上アーム部４、右下アーム部５、左下アーム部６のフック状の凹みはスマートフォン８の左右上下の四角縁部に係合し、カバー１がスマートフォン８に固定される。
【００１３】  カバー１をスマートフォン８に装着した状態では、ジョイント本体２とぬいぐるみ８がスマートフォン８の背面９の一部と上下左右の四角一部と前面一部を覆う。またスマートフォン８の側面操作ボタン、上面操作ボタンは完全に露出する。
従って、カバー１を装着してもスマートフォン８の操作に支障をきたすことはない。
【００１４】  カバー１をスマートフォン８から取り外す場合は、ジョイント本体２の左上アーム部３、右上アーム部４、右下アーム部５、左下アーム部６の左右上下の対いずれか２箇所に手を掛け、少し力を入れて同時に開くようにする。これにより、左右上下のいずれか２箇所が開くように弾性変形して、カバー１をスマートフォン８から取り外すことができる。
【００１５】  以上、本考案の実施の形態について詳述してきたが、具体的構成は、この実施の形態に限られるものではなく、本考案の要旨を逸脱しない範囲における設計の変更などがあっても考案に含まれる。
例えば、ぬいぐるみを他の動物やキャラクターなどで構成してもよい。
ジョイント部やぬいぐるみ部をシリコーン等の他の素材によって構成してもよい。
またジョイントのみで形成し、ジョイントそのものをある動物で型取るという方法もある。さらにジョイントの色彩、デザインは上記実施の形態で示したものに限らず、他の色、のものとしても良いのは勿論である。
【符号の説明】
【００１６】  １…携帯端末装置のカバー
２…ジョイント本体
３…左上アーム部
４…右上アーム部
５…右下アーム部
６…左下アーム部
７…ぬいぐるみ
８…スマートフォン本体
９…スマートフォン背面
１０…スマートフォン側面
１１…テーブル
【図１】
0003173667.tif 000003
【図２】
0003173667.tif 000004
【図３】
0003173667.tif 000005
【図４】
0003173667.tif 000006
【図５】
0003173667.tif 000007
【図６】
0003173667.tif 000008